(57)【要約】      （修正有）【課題】接続する携帯装置の外形が変化しても携帯装置を傾斜させた状態で接続することができ、また、外部から振動を受けたり後方に押圧された場合でも、携帯装置の転倒を防止することができる再生装置を提供する。【解決手段】細長い長方体を形成し上面に携帯装置４の接続部４０１と接続可能に成され上方が後方に予め定めた角度傾斜して配設されるコネクター２０３を備えるローダー部２と、ローダー部と着脱可能に成されるホルダー部３とを備え、ホルダー部は、薄い板状を形成し上方が後方に傾斜し下面に下方に突出する下面凸部を備える板状傾斜部３０１と、板状傾斜部の左右側面からアーム状に下方に延びるアーム部３０３と、アーム部の下端部分がそれぞれ内側に傾斜した面を形成すると共に内側方向に向かってそれぞれ突出する爪部とを備え、板状傾斜部の下面から爪部の上端までの長さは、ローダー部の上面から下面までの長さより僅かに大きい。【選択図】図１
2014194836.tif 000002
【特許請求の範囲】
【請求項１】
携帯装置と電気的に接続し、当該携帯装置に記録されているオーディオデータを再生する再生装置において、
細長い長方体を形成し上面に携帯装置の接続部と接続可能に成され上方が後方に予め定めた角度傾斜して配設されるコネクターを備え前後にスライド可能に成されるローダー部と、
前記ローダー部と着脱可能に成されるホルダー部とを備え、
前記ホルダー部は、薄い板状を形成し上方が後方に傾斜し下面に下方に突出する下面凸部を備える板状傾斜部と、当該板状傾斜部の左右側面からそれぞれアーム状に下方に延びるアーム部と、前記それぞれのアーム部の下端部分がそれぞれ内側に傾斜した面を形成すると共に内側方向に向かってそれぞれ突出する爪部とを備え、
前記板状傾斜部の下面から前記爪部の上端までの長さは、ローダー部の上面から下面までの長さより僅かに大きいことを特徴とする再生装置。
【請求項２】
請求項１記載の再生装置において、
前記板状傾斜部は、下面に下方に突出する下面凸部を備え、
前記下面凸部の下面から前記爪部の上端までの長さは、ローダー部の上面から下面までの長さより僅かに大きいことを特徴とする再生装置。
【請求項３】
請求項１または２記載の再生装置において、
前記板状傾斜部は、上方が後方に略１５度傾斜していることを特徴とする再生装置。
【請求項４】
請求項１乃至請求項３のいずれか１項に記載の再生装置において、
前記板状傾斜部は、前面に弾性体により成形された円筒型の弾性ボスを備えることを特徴とする再生装置。
【発明の詳細な説明】
【技術分野】
【０００１】
本発明は、携帯装置と接続し、当該携帯装置に記録されているオーディオデータを再生する再生装置に関する。
【背景技術】
【０００２】
従来、携帯可能なiPhone（登録商標）やiPod（登録商標）などの携帯装置と接続し、当該携帯装置に記録されているオーディオデータを入力して再生する再生装置が知られている（例えば、特許文献１参照。）。
【０００３】
このような再生装置は、オーディオデータを再生する再生部と、携帯装置を載置した状態で保持するための凹部を備え、当該凹部の上方から携帯装置を載置することにより、携帯装置の下面に備えた接続部と当該凹部の中央部分に備えたコネクターが電気的に接続し、接続部及びコネクターを介して携帯装置内の記録部に記録されているオーディオデータを入力し、入力したオーディオデータを再生部によって再生することによって携帯装置に記録されたオーディオデータを再生することができる。
【０００４】
また、前述した従来の再生装置は、携帯装置を接続した場合に、当該携帯装置の前面に備える表示部の表示を見やすくするために、携帯装置を載置した場合に当該携帯装置の表示部の上方が少し後方に傾斜した状態で保持できるように、携帯装置を載置する部分を予め傾斜させた構成に成されているものが広く知られている。
【０００５】
このように、従来の再生装置は、携帯装置と接続するコネクターを備える凹部に携帯装置を上方から載置するだけで容易に当該携帯装置を保持して接続することができ、また、携帯装置を保持した場合に携帯装置の上方が後方に傾斜した状態で保持することによって、携帯装置に備える表示部の視野を向上することができる。
【先行技術文献】
【特許文献】
【０００６】
【特許文献１】特開２００７−５３５８６６号公報
【発明の開示】
【発明が解決しようとする課題】
【０００７】
近年、オーディオデータを記録する記録部を備えた携帯装置は、様々な種類の携帯装置が存在し、また、特定の製造メーカの携帯装置においても非常に速いサイクルで携帯装置のモデルチェンジが行われている。このような携帯装置は、それぞれ装置の幅、長さ、高さ及び厚さなどの外形が異なり、また、オーディオデータを出力するための接続部の種類や形状が携帯装置ごとに異なる場合が多い。
【０００８】
一方、前述したような従来の再生装置は、特定の携帯装置と接続するための凹部を備えているため、例えば、同じ製造メーカの携帯装置であっても、携帯装置のモデルチェンジによって携帯装置の外形が異なってしまうと、新たにモデルチェンジした携帯装置を載置することができなくなってしまう。このため、従来の再生装置は、例え同一の製造メーカの携帯装置であっても、携帯装置の外形やコネクターの形状が変化する度に、携帯装置を保持する部分を交換したり、また、再生装置本体を交換する必要があるため、再生装置のコストが非常に高くなってしまう。
【０００９】
また、携帯装置を傾斜させた状態で載置する従来の再生装置は、携帯装置の上方が後方に傾斜していることによって携帯装置の重心がコネクターの位置より後方に移動した状態となるため、例えば、再生装置が外部から振動を受けた場合や、また、携帯装置の上方部分に外部から力が加わって後方に押圧された場合、再生装置に受けた振動や、携帯装置の上方部分が後方に押圧されることによって再生装置に載置した携帯装置が後方に転倒してしまい、携帯装置の接続部と接続したコネクターが破損したり、また、携帯装置の接続部が破損してしまう虞がある。
【００１０】
本発明は、携帯装置と接続し、当該携帯装置に記録されているオーディオデータを再生する再生装置において、接続する携帯装置の外形が変化しても携帯装置を傾斜させた状態で安価かつ容易に載置して接続することができ、また、外部から振動を受けたり、携帯装置の上方部分が後方に押圧された場合でも、当該携帯装置が転倒してしまうことを防止することができる再生装置を提供することを目的とする。
【課題を解決するための手段】
【００１１】
上記の課題を解決するために、本願の請求項１記載の発明は、携帯装置と電気的に接続し、当該携帯装置に記録されているオーディオデータを再生する再生装置において、細長い長方体を形成し上面に携帯装置の接続部と接続可能に成され上方が後方に予め定めた角度傾斜して配設されるコネクターを備え前後にスライド可能に成されるローダー部と、前記ローダー部と着脱可能に成されるホルダー部とを備え、前記ホルダー部は、薄い板状を形成し上方が後方に傾斜し下面に下方に突出する下面凸部を備える板状傾斜部と、当該板状傾斜部の左右側面からそれぞれアーム状に下方に延びるアーム部と、前記それぞれのアーム部の下端部分がそれぞれ内側に傾斜した面を形成すると共に内側方向に向かってそれぞれ突出する爪部とを備え、前記板状傾斜部の下面から前記爪部の上端までの長さは、ローダー部の上面から下面までの長さより僅かに大きいことを特徴とする。
【００１２】
本願の請求項２記載の発明は、請求項１記載の再生装置において、前記板状傾斜部は、下面に下方に突出する下面凸部を備え、前記下面凸部の下面から前記爪部の上端までの長さは、ローダー部の上面から下面までの長さより僅かに大きいことを特徴とする。
【００１３】
本願の請求項３記載の発明は、請求項１または２記載の再生装置において、前記板状傾斜部は、上方が後方に略１５度傾斜していることを特徴とする。
【００１４】
本願の請求項４記載の発明は、請求項１乃至請求項３のいずれか１項に記載の再生装置において、前記板状傾斜部は、前面に弾性体により成形された円筒型の弾性ボスを備えることを特徴とする。
【発明の効果】
【００１５】
本発明によれば、携帯装置と接続し、当該携帯装置に記録されているオーディオデータを再生する再生装置において、接続する携帯装置の外形が変化しても携帯装置を傾斜させた状態で安価かつ容易に載置して接続することができ、また、外部から振動を受けたり、携帯装置の上方部分が後方に押圧された場合でも、当該携帯装置が転倒してしまうことを防止することができる再生装置を提供することができる。
【図面の簡単な説明】
【００１６】
【図１】本発明の一実施例である再生装置の概略構成を示す図。
【図２】本実施例の再生装置１のホルダー部３を示す図で、図２（ａ）は正面図、図２（ｂ）は図２（ａ）の側面図。
【図３】本実施例の再生装置１において、ローダー部２にホルダー部３を装着した状態を示す側面図。
【図４】本実施例の再生装置１において、第１の携帯装置４をローダー部２の凹部２０２に載置する状態を示す図で、図４（ａ）は、第１の携帯装置４を凹部２０２に載置する前の状態を示す側面図、図４（ｂ）は、図４（ａ）の状態から第１の携帯装置４を凹部２０２に載置させた状態を示す側面図。
【図５】本実施例の再生装置１において、図４に示す第１の携帯装置４と外形及び厚さが異なる第２の携帯装置５をローダー部２の凹部２０２に載置する状態を示す図で、図５（ａ）は、第２の携帯装置５を凹部２０２に載置する前の状態を示す側面図、図５（ｂ）は、図５（ａ）の状態から第２の携帯装置５を凹部２０２に載置させた状態を示す側面図。
【図６】本実施例の再生装置１において、例えば、図４に示すように第１の携帯装置４を凹部２０２に載置して接続した状態の場合に、第１の携帯装置４の上方部分に外部から力が加わって後方に押圧された状態を示す図。
【発明を実施するための最良の形態】
【００１７】
以下、本発明の実施の形態を図面に基づいて説明する。
図１は、本発明の一実施例である再生装置の概略構成を示す図である。
【００１８】
再生装置１は、ホルダー部３、筐体１０１及びフロントパネル１０２を備える。再生装置１は、筐体１０１の内部に携帯装置再生部１０３、ディスク再生部１０４、図示しない制御部及び出力端子を備え、フロントパネル１０２にローダー部２、操作部１０５及び表示部１０６を備える。
【００１９】
ローダー部２は、横方向に細長い長方体を形成し、前面に前面パネル２０１を備え、上面に凹部２０２及びコネクター２０３を備える。ローダー部２は、駆動モータまたは手動によって前面パネル２０１がフロントパネル１０２と略同一の面となってローダー部２がフロントパネル１０２に収納される位置と、フロントパネル１０２の前方に突出した位置との間を自在にスライド可能に成されている。
【００２０】
ホルダー部３は、ローダー部２が前方に突出している場合に、ローダー部２の上方から着脱可能に成されている。コネクター２０３は、第１の携帯装置４が凹部２０２の上方から載置されることにより、第１の携帯装置４の下面に備えられた接続部４０１と電気的に接続する。
【００２１】
操作部１０５は、再生選択キー、再生開始キー、再生停止キー等を備え、これらのキーが押圧されることにより、制御部（図示せず）に再生選択指示信号、再生開始指示信号、再生停止指示信号等の各種指示信号を出力する。制御部は、第１の携帯装置４がローダー部２の凹部２０２に載置され、第１の携帯装置４の接続部４０１とコネクター２０３が電気的に接続された状態の場合、操作部１０５の再生選択キーによって携帯装置の再生が選択された状態で再生開始キーによって再生の開始が指示されると、接続部４０１及びコネクター２０３を介して第１の携帯装置４の記録部に記録されているオーディオデータを入力して再生するよう携帯装置再生部１０３を制御する。携帯装置再生部１０３は、制御部の制御により、第１の携帯装置４に記録されているオーディオデータを再生し、再生したオーディオデータを出力端子（図示しない）に出力する。
【００２２】
ディスク再生部１０４は、図示しないローダによってＣＤ（Compact Disc）、ＤＶＤ（Digital Versatile Disc）等のディスク記録媒体を筐体１０１の内部に格納可能に成される。制御部は、ディスク記録媒体が筐体１０１の内部に格納された状態の場合、操作部１０５の再生選択キーによってディスク記録媒体の再生が選択された状態で再生開始キーによって再生の開始が指示されると、ディスク記録媒体に記録されているオーディオデータを再生するようディスク再生部１０４を制御する。ディスク再生部１０４は、制御部の制御により、ディスク記録媒体に記録されているオーディオデータを再生し、再生したオーディオデータを出力端子（図示しない）に出力する。
【００２３】
出力端子は増幅装置に接続され、携帯装置再生部１０３又はディスク再生部１０４によって再生されたオーディオデータを増幅装置に出力する。増幅装置は出力端子から出力されたオーディオデータをオーディオ信号に変換して増幅し、増幅したオーディオ信号をスピーカに出力する。スピーカは出力されたオーディオ信号を放音する。表示部１０６は、再生装置１が再生しているオーディオデータの情報や再生装置１の再生状態の情報を表示する。
【００２４】
図２は、本実施例の再生装置１のホルダー部３を示す図で、図２（ａ）は正面図、図２（ｂ）は図２（ａ）の側面図である。
【００２５】
ホルダー部３は、プラスチック部材等の合成樹脂部材による金型成形等によって成形され、薄い板状を形成し、上方が後方に角度Ｃだけ傾斜した板状傾斜部３０１を備える。本実施例においては、この角度Ｃを１５度とする。板状傾斜部３０１の下方部分の左側面及び右側面には、それぞれアーム状に下方に延びるアーム部３０３を備える。左右のアーム部３０３の下端部分には、それぞれ下端部分が内側に傾斜した面を形成すると共に、それぞれ内側方向に向かって突出する爪部３０４を備える。
【００２６】
板状傾斜部３０１の下面には下方に突出する下面凸部３０２を備え、また、左右それぞれのアーム部３０３の内側部分には、それぞれ内側に突出する右側面凸部３０５及び左側面凸部３０６を備える。
【００２７】
右側面凸部３０５の内側面から左側面凸部３０６の内側面までの長さＡは、ローダー部２の右側面から左側面までの長さより僅かに大きい。また、下面凸部３０２の下面から爪部３０４の上端部分までの長さＢは、ローダー部２の上面から下面までの長さより僅かに大きい。
【００２８】
図３は、本実施例の再生装置１において、ローダー部２にホルダー部３を装着した状態を示す側面図である。
図３においては、左方向を再生装置１の前方とし、また、上方向を再生装置１の上方とする。
【００２９】
図３に示すように、コネクター２０３は、凹部２０２の窪んだ部分の略中央の位置に配設され、上方が後方に予め定めた角度だけ傾斜して配設されている。本実施例においては、コネクター２０３の上方が後方に傾斜している角度を、ホルダー部３の板状傾斜部３０１の傾斜角度と同様に１５度傾斜しているものとする。
【００３０】
ホルダー部３をローダー部２に装着する場合は、ローダー部２をフロントパネル１０２の前方に突出させた状態とし、先ず、ホルダー部３をローダー部２の上方に配設し、次に、ホルダー部３を下方に移動させてアーム部３０３の下端部分に備える左右の爪部３０４の下端の傾斜した面をローダー部２の右端及び左端にそれぞれ当接する位置に合わせた状態で、ホルダー部３を更に下方に押し込む。
【００３１】
すると、ホルダー部３は、ローダー部２の左右の端部分に当接した爪部３０４の下端の傾斜した面が外側に広がろうとする力によって、左右のアーム部３０３がそれぞれ外側に弾性変形した状態でローダー部２の左右側面を降下し、爪部３０４の上面部分がローダー部２の下面部分より下方となった位置でアーム部３０３の弾性変形が元の状態に戻る。この状態において、ホルダー部３は、図３に示すように、右側面凸部３０５及び左側面凸部３０６がローダー部２の左右の側面を保持し、また、下面凸部３０２及び爪部３０４の上面がローダー部２の上面及び下面を保持した状態でローダー部２に装着される。
【００３２】
以上のように、ホルダー部３をローダー部２に装着しようとする場合は、ホルダー部３をローダー部２の上方に配設させた状態でホルダー部３を下方に押し込むことによって、ホルダー部３をローダー部２に簡単に装着することができる。また、ローダー部２の装着したホルダー部３を取り外す場合は、先ず、ホルダー部３の左右のアーム部３０３を把持し、左右の爪部３０４がローダー部２の下面から外れる状態まで外側に撓ませた状態としたままホルダー部３を上方に移動させ、ホルダー部３をローダー部２から抜き取る。このように、ローダー部２に装着したホルダー部３を取り外す場合は、左右のアーム部３０３を外側に撓ませてホルダー部３を上方に移動させて抜き取ることによって、簡単に取り外すことができる。
【００３３】
図３に示すように、ホルダー部３がローダー部２に装着された状態の場合、ホルダー部３は、右側面凸部３０５とローダー部２の右側面の間及び左側面凸部３０６とローダー部２の左側面の間にはそれぞれ僅かな隙間が生じ、また、下面凸部３０２がローダー部２の上面に当接した状態で爪部３０４の上面とローダー部２の下面との間に僅かな隙間が生じていることから、アーム部３０３の下方部分を把持した状態で前方又は後方に力を加えることにより、ホルダー部３はローダー部２に装着された状態のまま前方又は後方に自在にスライド可能となる。
【００３４】
図４は、本実施例の再生装置１において、第１の携帯装置４をローダー部２の凹部２０２に載置する状態を示す図で、図４（ａ）は、第１の携帯装置４を凹部２０２に載置する前の状態を示す側面図、図４（ｂ）は、図４（ａ）の状態から第１の携帯装置４を凹部２０２に載置させた状態を示す側面図である。
【００３５】
第１の携帯装置４をローダー部２の凹部２０２に載置させる場合は、先ず、図４（ａ）に示すように、ホルダー部３のアーム部３０３の下方部分を把持して後方に力を加え、第１の携帯装置４を凹部２０２に載置するために必要な空間が十分に確保できる程度となるようにホルダー部３を後方にスライドさせておく。
【００３６】
次に、図４（ｂ）に示すように、第１の携帯装置４を凹部２０２の上方から下方に移動させ、第１の携帯装置４の下面に備える接続部４０１を凹部２０２の中央部分に備えるコネクター２０３に挿入して接続する。次に、ホルダー部３のアーム部３０３の下方部分を把持して前方に力を加え、ホルダー部３の板状傾斜部３０１の前面が第１の携帯装置４の後面に当接する位置となるようにホルダー部３を前方にスライドさせる。
【００３７】
以上のように、再生装置１は、予め、ホルダー部３を後方にスライドさせておいた状態とし、第１の携帯装置４を凹部２０２の上方から下方に移動させて接続部４０１をコネクター２０３に挿入して接続した後、板状傾斜部３０１の前面が第１の携帯装置４の後面に当接する位置までホルダー部３を前方にスライドさせることによって、第１の携帯装置４を載置することが可能となる。このとき、ホルダー部３の板状傾斜部３０１が第１の携帯装置４の後面に当接していることにより、例えば、再生装置１が外部から振動を受けた場合でも、第１の携帯装置４が後方に転倒してしまうことを防止する。
【００３８】
図５は、本実施例の再生装置１において、図４に示す第１の携帯装置４と外形及び厚さが異なる第２の携帯装置５をローダー部２の凹部２０２に載置する状態を示す図で、図５（ａ）は、第２の携帯装置５を凹部２０２に載置する前の状態を示す側面図、図５（ｂ）は、図５（ａ）の状態から第２の携帯装置５を凹部２０２に載置させた状態を示す側面図である。
【００３９】
第２の携帯装置５をローダー部２の凹部２０２に載置させる場合は、先ず、図５（ａ）に示すように、ホルダー部３のアーム部３０３の下方部分を把持して後方に力を加え、第２の携帯装置５を凹部２０２に載置するために必要な空間が十分に確保できる程度となるようにホルダー部３を後方にスライドさせておく。
【００４０】
次に、図５（ｂ）に示すように、第２の携帯装置５を凹部２０２の上方から下方に移動させ、第２の携帯装置５の下面に備える接続部５０１を凹部２０２の中央部分に備えるコネクター２０３に挿入して接続する。次に、ホルダー部３のアーム部３０３の下方部分を把持して前方に力を加え、ホルダー部３の板状傾斜部３０１の前面が第２の携帯装置５の後面に当接する位置となるようにホルダー部３を前方にスライドさせる。
【００４１】
以上のように、再生装置１は、予め、ホルダー部３を後方にスライドさせておいた状態とし、第２の携帯装置５を凹部２０２の上方から下方に移動させて接続部５０１をコネクター２０３に挿入して接続した後、板状傾斜部３０１の前面が第２の携帯装置５の後面に当接する位置までホルダー部３を前方にスライドさせることによって、第２の携帯装置５を載置することが可能となる。このとき、ホルダー部３の板状傾斜部３０１が第２の携帯装置５の後面に当接していることにより、例えば、再生装置１が外部から振動を受けた場合でも、第２の携帯装置５が後方に転倒してしまうことを防止する。
【００４２】
図６は、本実施例の再生装置１において、例えば、図４に示すように第１の携帯装置４を凹部２０２に載置して接続した状態の場合に、第１の携帯装置４の上方部分に外部から力が加わって後方に押圧された状態を示す図である。
【００４３】
図６に示すように、例えば、第１の携帯装置４を凹部２０２に載置した状態で、第１の携帯装置４の上方部分が後方に押圧されると、第１の携帯装置４は、コネクター２０３と接続された接続部４０１を中心として後方に回転しようとする力が生じる。このとき、第１の携帯装置４の後面に当接したホルダー部３の板状傾斜部３０１も第１の携帯装置４と同様に、コネクター２０３と接続された接続部４０１を中心として後方に回転しようとする力が生じるが、この接続部４０１を中心として後方に回転しようとする力によって、下面凸部３０２の後端部分Ｄと爪部３０４の上面の前端部分Ｅがそれぞれローダー部２の上面及び下面を狭持しようとする力、つまりこじり力が生じ、このこじり力によって、ローダー部２に対してホルダー部３が後方にスライドしようとする力が抑止され、板状傾斜部３０１が第１の携帯装置４の後面を保持した状態となる。
【００４４】
このため、図６に示すように、第１の携帯装置４の上方部分が後方に押圧された場合でも、下面凸部３０２の後端部分Ｄと爪部３０４の上面の前端部分Ｅの間に生じたこじり力によってホルダー部３が後方にスライドすることなく板状傾斜部３０１が第１の携帯装置４の後面を保持することにより、第１の携帯装置４が後方に転倒してしまうことを防止する。
【００４５】
以上のように、本実施例の再生装置１は、予め、ホルダー部３を後方にスライドさせておいた状態とし、接続する携帯装置を凹部２０２の上方から下方に移動させて接続対象の携帯装置の下面に備える接続部をコネクター２０３に挿入して接続した後、板状傾斜部３０１の前面が携帯装置の後面に当接する位置までホルダー部３を前方にスライドさせることによって、接続対象の携帯装置を載置することが可能であるため、携帯装置の外形が変化しても携帯装置を傾斜させた状態で安価かつ容易に載置して接続することができる。
【００４６】
また、本実施例の再生装置１は、接続する携帯装置の外形が変化しても、ホルダー部３の板状傾斜部３０１を携帯装置の後面に当接させることができるため、例えば、外形の異なるいかなる携帯装置を載置した場合において、再生装置１が外部から振動を受けた場合でも、傾斜して載置した携帯装置が後方に転倒してしまうことを防止することができる。
【００４７】
また、本実施例の再生装置１は、例えば、載置した携帯装置４の上方部分が後方に押圧された場合でも、図６に示すように、下面凸部３０２の後端部分Ｄと爪部３０４の上面の前端部分Ｅの間に生じたこじり力によってホルダー部３が後方にスライドすることなく板状傾斜部３０１が第１の携帯装置４の後面を保持することにより、傾斜して載置した携帯装置が後方に転倒してしまうことを防止することができる。
【００４８】
また、本実施例の再生装置１は、図６に示すように、第１の携帯装置４を凹部２０２に載置し、ホルダー部３の板状傾斜部３０１の前面が第１の携帯装置４の後面を保持した状態のときに、例えば、ローダ部２が駆動モータまたは手動によって不用意にフロントパネル１０２に収納される方向にスライドしてしまった場合でも、ホルダー部３のアーム部３０３または板状傾斜部３０１の後方部分がフロントパネル１０２に当接し、下面凸部３０２の後端部分Ｄと爪部３０４の上面の前端部分Ｅの間に生じたこじり力によって、ホルダー部３がローダー部３に対して前方にスライドすることなく板状傾斜部３０１が第１の携帯装置４の後面を保持する。このことにより、本実施例の再生装置１は、第１の携帯装置４をローダー部３の凹部２０２に傾斜して載置した状態のときに、不用意にローダー３がフロントパネル１０２の方向にスライドしてしまった場合でも、ホルダー部３がローダー部３に対して前方にスライドすることなく携帯装置４を保持することにより、傾斜して載置された第１の携帯装置４の上方部分がフロントパネル１０２に衝突して前方に転倒してしまい第１の携帯装置４の接続部４０１に接続されたコネクター２０３が破損してしまったり、第１の携帯装置４がローダー部３から脱落してしまうことを防止することができる。
【００４９】
本実施例の再生装置１は、板状傾斜部３０１の下面に下面凸部３０２を備え、また、左右のアーム部３０３の内側部分にそれぞれ内側に突出する右側面凸部３０５及び左側面凸部３０６を備える構成としたが、下面凸部３０２を備えないで、板状傾斜部３０１の下面から爪部３０４の上端部分までの長さがローダー部２の上面から下面までの長さより僅かに大きい構成としても良いし、また、右側面凸部３０５及び左側面凸部３０６を備えないで、右側のアーム部の内側面から左側のアーム部の内側面までの長さがローダー部２の右側面から左側面までの長さより僅かに大きい構成としても良い。このことにより、ホルダー部３の製造コストを低減することができる。
【００５０】
本実施例の再生装置１は、携帯装置の後面にホルダー部３の板状傾斜部３０１の前面を当接させる構成としたが、例えば、板状傾斜部３０１の前面に、薄いシリコンゴム部材等の弾性体により成形された複数の円筒型の弾性ボスを備え、この弾性ボスに携帯装置の後面を当接させる構成としても良い。このことにより、携帯装置の後面を強力に保持することができるため、例えば、再生装置１の外部から振動や衝撃が加わった場合でもホルダー部３によって保持した携帯装置が左右方向または上下方向にズレてしまうことを防止することができる。
【００５１】
本実施例の再生装置１は、ホルダー部３の板状傾斜部３０１を１５度傾斜させた構成としたが、携帯装置に備える表示部の視界を良好にするためであれば１４度以下であっても１６度以上であっても良いし、また、載置する携帯装置の角度を任意に変化させることが可能な構成としても良い。
【００５２】
本実施例の再生装置１は、ホルダー部３がローダー部２から着脱可能な構成としたが、ローダー部２を前後にスライドしてフロントパネル内に収納させる必要がない場合は、ホルダー部３が常にローダー部２に装着される構成としても良いし、また、携帯装置を接続して載置する箇所であれば、ローダー部２以外のいかなる箇所にホルダー部３を装着する構成として良い。
【産業上の利用可能性】
【００５３】
本発明は、携帯装置と接続し、当該携帯装置に記録されているオーディオデータを再生する再生装置に有用に用いることができる。
【符号の説明】
【００５４】
１  再生装置、１０１  筐体、１０２  フロントパネル、１０３  携帯装置再生部、
１０４  ディスク再生部、１０５  操作部、１０６  表示部、
２  ローダー部、２０１  前面パネル、２０２  凹部、２０３  コネクター、
３  ホルダー部、３０１  板状傾斜部、３０２  下面凸部、
３０３  アーム部、３０４  爪部、３０５  右側面凸部、３０６  左側面凸部、
４  第１の携帯装置、４０１  接続部、５  第２の携帯装置、５０１  接続部、
６  第３の携帯装置、６０１  接続部
【図１】
2014194836.tif 000003
【図２】
2014194836.tif 000004
【図３】
2014194836.tif 000005
【図４】
2014194836.tif 000006
【図５】
2014194836.tif 000007
【図６】
2014194836.tif 000008